(57)【要約】  所定の塗装応答が生成されるように、塗装パラメータを予測し適用するための方法およびそれらの使用。一実施形態において、この方法は、塗装パラメータ−応答モデルを準備する工程と、塗装パラメータを予め定めてモデルを入力する工程と、モデルおよび入力されたパラメータに基づいて塗装応答を定める工程と、パラメータを塗料または塗装装置に適用する工程とを含む。別の実施形態において、この方法は、塗装パラメータ−応答モデルを準備する工程と、塗装応答を予め定めてモデルを入力する工程と、モデルおよび入力された応答に基づいて塗装パラメータを定める工程と、パラメータを塗料または塗装装置に適用する工程とを含む。
2007508937.tif 000002
【特許請求の範囲】
【請求項１】
所定の塗装応答が生成されるように、塗装パラメータを予測し適用するための方法であって、
ａ．塗装パラメータ−応答モデルを準備する工程であって、前記モデルが、塗装パラメータ−応答アルゴリズムによって、少なくとも１つの塗装パラメータを少なくとも１つの塗装応答と相関させる工程と、
ｂ．少なくとも１つの塗装パラメータを予め定めて、前記モデルの前記パラメータ−応答アルゴリズムに入力する工程と、
ｃ．前記モデルの前記パラメータ−応答アルゴリズム、および前記パラメータまたは複数のパラメータに基づいて、少なくとも１つの目標塗装応答を定める工程と、
ｄ．前記塗装応答または複数の塗装応答を得るように、いかなる前記パラメータまたは複数のパラメータも塗装装置に適用する工程とを含むことを特徴とする方法。
【請求項２】
所定の塗装応答が生成されるように、塗装パラメータを予測し適用するための方法であって、
ａ．塗装パラメータ−応答モデルを準備する工程であって、前記モデルが、塗装パラメータ−応答アルゴリズムによって、少なくとも１つの塗装パラメータを少なくとも１つの塗装応答と相関させる工程と、
ｂ．少なくとも１つの目標塗装応答を予め定めて、前記モデルの前記パラメータ−応答アルゴリズムに入力する工程と、
ｃ．前記モデルの前記パラメータ−応答アルゴリズム、および前記応答または複数の応答に基づいて、少なくとも１つの塗装パラメータを定める工程と、
ｄ．前記塗装応答または複数の塗装応答を得るように、いかなる前記パラメータまたは複数のパラメータも塗装装置に適用する工程とを含むことを特徴とする方法。
【請求項３】
前記塗装パラメータ−応答モデルが、前記塗装パラメータを前記塗装応答と相関させる実験の計画に基づいていることを特徴とする請求項１または２に記載の方法。
【請求項４】
前記塗装パラメータ−応答モデルが、複数の塗装パラメータを複数の塗装応答と相関させることを含むことを特徴とする請求項１または２に記載の方法。
【請求項５】
前記塗装応答を入力し、前記塗装パラメータの許容レベル範囲を入力し、塗装パラメータを定めるためのコンピュータ−ヒューマンインタフェースを含むことを特徴とする請求項１または２に記載の方法。
【請求項６】
前記複数の塗料応答が、スプレーパターン直径および平均スプレーパターンフィルム構造を含むことを特徴とする請求項１または２に記載の方法。
【請求項７】
塗料応答としてスプレーパターン形状をさらに含むことを特徴とする請求項６に記載の方法。
【請求項８】
塗料応答として移送効率をさらに含むことを特徴とする請求項７に記載の方法。
【請求項９】
塗装パラメータを定めるための請求項１に記載の方法の使用。
【請求項１０】
塗装パラメータの初期設定点を定めるための請求項１に記載の方法の使用。
【請求項１１】
塗料塗布装置または装置構成要素を比較するための請求項１に記載の方法の使用。
【発明の詳細な説明】
【技術分野】
【０００１】
本発明は、塗装方法に関し、より詳細には、所望の塗料応答を達成するために、塗料および塗料塗布装置の入力値として適切なパラメータを予測し適用するための方法およびその使用に関する。
【背景技術】
【０００２】
実験室のコーティング科学者は、塗料特性と塗料応答との間の相関を研究するために、複雑な実験計画を行っている。この作業は、一般に、典型的には塗料特性と塗料応答との間の相関の三次元表示である数学的モデルを生成する。これらのモデルは、典型的には、たとえば、塗料粘度、フィルム構造（ｆｉｌｍ  ｂｕｉｌｄ）、および光沢などの多数の塗料特性を相関させる。
【０００３】
計画された実験は、また、噴霧空気、ファン空気、塗料流量、ベル速度、または成形空気などの塗料プロセス入力パラメータの、フィルム構造およびパターン幅などの塗料応答出力に及ぼす影響を示す応答表面プロットを与えることができる。このデータは、新たなプロセスが設定されるときに非常に有用である。しかし、表面プロットの使用は、自動車または産業工場塗装環境において使用するには厄介であり、また、入力パラメータのいかなる信頼性のある変更も行うために、専用ソフトウェアおよび熟練したユーザを必要とする。そのような、工場塗装環境は、塗装パラメータを定めるための実験の計画方法の使用がない。
【０００４】
新たな産業塗料ライン、塗料技術、またはアプリケータ技術が設置されるとき、塗料および塗装装置からの特定の塗装応答が望ましく、塗料流量、噴霧空気、ファン空気速度、ベル速度、成形空気、電圧などの関連したパラメータを定めなければならない。これは、また、既存の塗料ライン、塗料技術、または塗布装置にあてはまる。パラメータを定めることは、典型的には、実際には、工場塗装環境において、塗装装置のユーザの側で、試行錯誤ベースで行われる。これは、新たな塗装装置の設置および始動に特にあてはまる。これらの方法は、設定点を作成するのに効果的であるが、それらは、また、時間がかかり、繰返しである。
【０００５】
さらに、系統的に行われない限り、試行錯誤のプロセスは、どのように設定点の小さい変更が最終塗料仕事の質をもたらすことがあるかについて情報を提供しない（すなわち、各入力パラメータの作業ウィンドウの理解もさまざまなパラメータの相互作用の理解もない）。したがって、装置パラメータが塗装プロセスを変更することが必要なとき、エンジニアは、「経験に基いた推測」を行うことを強制される。
【０００６】
【特許文献１】米国特許第５，１６２，４２６号明細書
【特許文献２】米国特許第４，５９１，５３３号明細書
【特許文献３】米国特許第５，３１４，９４５号明細書
【発明の開示】
【発明が解決しようとする課題】
【０００７】
したがって、この一般的なタイプの先行技術の方法の欠点を克服する所望の塗料応答を達成するために、塗料および塗料塗布装置の塗装パラメータを予測する方法が必要である。
【課題を解決するための手段】
【０００８】
本発明は、所定の塗装応答が生成されるように、塗装パラメータを予測し適用するための方法およびそれらの使用を請求する。一実施形態において、この方法は、塗装パラメータ−応答モデルを準備する工程と、塗装パラメータを予め定めてモデルに入力する工程と、モデルおよび入力されたパラメータに基づいて塗装応答を定める工程と、パラメータを塗料または塗装装置に適用する工程とを含む。別の実施形態において、この方法は、塗装パラメータ−応答モデルを準備する工程と、塗装応答を予め定めてモデルに入力する工程と、モデルおよび入力された応答に基づいて塗装パラメータを定める工程と、パラメータを塗料または塗装装置に適用する工程とを含む。
【０００９】
本発明の方法および使用は、添付の図面と関連して読まれると、次の好ましい実施形態の説明から最もよく理解されるであろう。
【発明を実施するための最良の形態】
【００１０】
ここで使用されるように、「塗装パラメータ」は、ベル速度、成形空気、流体送出速度、目標距離、ライン速度、塗装ブース温度、ブース湿度、ブースダウン／サイドドラフト、循環温度、循環流量／圧力、ＩＲ電気的設定、対流空気流れ対流空気温度、フラッシュ時間、ベーク時間／温度、ベークランプ（ｂａｋｅ  ｒａｍｐ）（毎分華氏度）、ライン速度、ベルカップ計画、装置タイプ／製造業者、装置目標距離、電圧、フィルムスプリット（すなわち、第１のコート／第２のコート）、レシプロケータ流体、レシプロケータ先端速度、パーセント重なり、ガン／キャップ／ノズル計画、流体送出、成形空気、噴霧空気、粘度、パーセンテージ不揮発性物質、塗布温度、成分タイプ／レベル、技術／化学（水担持（ｗａｔｅｒｂｏｒｎｅ）化学または純溶剤ベースの化学など）、原料供給業者、供給業者工場／位置、製造装置タイプ／製造業者、製造ドウェル時間、調整の数／量、剪断履歴、処理温度、および保管時間／温度を含むが、これらに限定されない。
【００１１】
「塗装応答」という用語は、光沢−水平、光沢−垂直、イメージの明確さ−水平（ＤＯＩ−Ｈ）、ＤＯＩ−垂直、剥離−水平、剥離−垂直、ＯＡＲ−水平（この応答は、光沢応答、ＤＯＩ応答、および剥離応答に基づいている）、ＯＡＲ−Ｖ、色外観応答（Ｌ、ａ、ｂ色値など）、塗布される塗料固形分、フィルム構造、スプレーパターンサイズ／直径、スプレーパターンのパーセンテージ変化、スプレーパターン形状（すなわち、円形、楕円形、葉巻、台地、双峰、ピークなど）、スプレーパターン特徴を予測する数式、パーセント重なり、移送効率、ポップ（ｐｏｐ）値、垂下値、ピンホーリング値、色Ｌａｂ値、メタリックな輝き、金属フロップ（ｆｌｏｐ）などを含むが、これらに限定されないことが意味される。
【００１２】
本発明は、所望の塗料応答を達成するために、塗料および塗料塗布装置の入力値として適切なパラメータを予測するための方法およびその使用に関する。適切に計画された応答表面実験の統計的分析が、本発明の方法で使用するための、結果として生じる塗料応答を正確に表し、したがって予測することができるアルゴリズムを提供する。
【００１３】
好ましい実施形態において、塗料応答は、噴霧空気、ファン空気、塗料流量、ベル速度、成形空気などのプロセス入力塗装パラメータの影響を示す表面プロットに基いた、スプレーガンまたは回転ベルアプリケータからのパターンサイズおよびフィルム構造を含む。これらの応答とこれらのパラメータとの間の相関に基いたアルゴリズムが、新たな塗料ライン、塗料技術、またはアプリケータの塗装パラメータ始動設定を設定し定めようと試みるときに特に有用である。アルゴリズムは、また、所望の塗料応答を受けるために既存の塗料および塗装装置を調整するのに有用である。
【００１４】
アルゴリズムを使用して、アルゴリズム計算を行うことができるいかなるプログラムで、いかなるコンピュータまたはデバイス上で実行することができる塗装パラメータ計算ツールを準備してもよい。たとえば、塗料アプリケータ特定計算器を使用することによって、ユーザが、塗装装置パラメータを入力し、所望の塗装応答を達成するようにそれらを操作することができる。さらに、塗布パラメータが工場塗装環境における調整を必要とするとき、ユーザは、塗布計算器を使用して、バランスのとれた塗装プロセスを維持するように、適用可能な作業ウィンドウ内でパラメータを調整することができる。
【００１５】
逆に、アルゴリズムを使用して、塗装パラメータが所望の塗装応答に基づいて計算される塗布計算器ツールを準備してもよい。たとえば、ユーザは、スプレーパターンサイズ、スプレーパターン形状、およびフィルム構造などの塗装応答を入力してもよく、計算器に基いたアルゴリズムは、関連する塗装パラメータを定める。この方法は、目標応答を達成する入力パラメータを計算するための目標応答を使用する範囲をユーザに与える。この実施形態は、既存の塗装装置の日々の調整が必要であるとき、特に有用であろう。
【００１６】
図１は、塗料アプリケータのための塗料処理パラメータ予測ツールが開発され使用される本発明の実施形態における全工程を示す。この方法を、新たなライン、または既存のライン上の新たなアプリケータの初期プロセスパラメータ設定点の基礎として用いてもよい。本質的に、本発明に基いた方法は、ユーザが、所定の塗装応答または応答許容差に基づいて、試行錯誤の実験を必要とせずに、プロセスパラメータを計算することを可能にする。
【００１７】
ここで、図２を参照すると、塗料スプレージェット３０または塗料スプレー雲３０を供給する典型的な回転ベル塗料アプリケータ２０の概略図が示されている。塗料は、典型的には電極１０によって帯電される。塗料は、一般に基材４０と呼ばれる物体４０上に堆積される。
【００１８】
塗装アプリケータ２０の水平移動または垂直移動によって、塗料層を図２の基材４０上に製造することができ、塗料厚さ分布を測定することができる。図３、典型的な回転ベル塗料アプリケータによって塗布されるような実際の塗料厚さ分布のグラフ表示は、２次元形式のそのような塗料層分析の結果を示し、マイクロメートル単位の塗料層厚さは縦座標上で特定され、測定値が横座標上で特定される。
【００１９】
回転ベル塗料アプリケータ、またはそれに関してはいかなるアプリケータによる基材上への塗料の塗布は、いくつかのパラメータによって制御される。これらのパラメータの適切な位置決めが、最適な塗料特性または応答をもたらす。本発明の利点は、ユーザが、産業塗装環境における長い研究に頼る必要なく、効率的に、最適な応答を与えるパラメータを選択するための手段を提供されることである。
【００２０】
再び図１を参照すると、開始ブロック１１０が、ブロック１１２が実行されるべきであることを示す。ブロック１１２において、塗料処理パラメータ−応答モデルを数学的に構築することができるソフトウェアパッケージが選択される。有用なソフトウェアパッケージの例は、米国ペンシルバニア州ステートカレッジのミニタブ・インコーポレイテッド（Ｍｉｎｉｔａｂ  Ｉｎｃ．  ｏｆ  Ｓｔａｔｅ  Ｃｏｌｌｅｇｅ，  Ｐｅｎｎｓｙｌｖａｎｉａ，  Ｕ．Ｓ．Ａ．）から入手可能なミニタブ（Ｍｉｎｉｔａｂ）バージョン１３以上、および米国ノースカロライナ州ケアリーのＳＡＳインスティテュート・インコーポレイテッドＪＭＰソフトウェア（ＳＡＳ  Ｉｎｓｔｉｔｕｔｅ  Ｉｎｃ．  ＪＭＰ  Ｓｏｆｔｗａｒｅ  ｏｆ  Ｃａｒｙ，  Ｎｏｒｔｈ  Ｃａｒｏｌｉｎａ，  Ｕ．Ｓ．Ａ．）から入手可能なＪＭＰバージョン５である。しかし、入力と出力との間の相関を数学的にモデリングし定めることができるいかなるソフトウェアパッケージまたはプログラムも使用してもよい。
【００２１】
図１において、ブロック１１４において、塗装パラメータ−応答モデルを構築するために使用されるべき塗料応答が定められる。上述の塗料応答は典型的である。しかし、当業者には容易に明らかないかなる塗料応答も使用してもよい。対応して、ブロック１１６において、研究された塗料および／または塗装装置に特有のパラメータおよび許容差が定められる。先に述べられたものを含むいかなる塗装パラメータおよび許容差応答も使用してもよい。許容差とは、そのような塗料のまたは塗装装置の操作パラメータのそれらの実際的な限界または範囲を意味する。たとえば、回転ベルアプリケータベル−カップ毎分回転数（ｒｐｍ）操作パラメータが、高いおよび低いｒｐｍ限界に基いた操作許容差を有する。
【００２２】
本発明の一実施形態において、好ましい塗料応答は、フィルム構造、スプレーパターン幅、およびスプレーパターン形状を含む。好ましい塗装パラメータは、空気圧スプレーガンの噴霧空気、ファン空気、塗料体積固形分、ガンヘッド速度、および塗料流量である。別の実施形態において、好ましい塗料応答は、フィルム構造、スプレーパターン幅、およびスプレーパターン形状を含み、ベル速度、成形空気、塗料体積固形分、アプリケータ速度、および塗料流量が、回転ベルアプリケータの好ましいパラメータである。
【００２３】
再び図１を参照すると、塗装パラメータ−応答アルゴリズムによって少なくとも１つの塗装パラメータを１つまたは複数の塗装応答と相関させるモデルが数学的に準備される、ブロック１１８。モデルを準備するいかなる数学的手段も使用してもよい。技術が、個別のファクタ反復、外挿および曲線の当てはめ、実験の計画、および統計的分析手段から変わってもよい。
【００２４】
好ましくは、たとえば図４によって示されているように、実験の計画を用いて、塗装パラメータと塗装応答との間の相関を定める。この方法は、相関を示す数学的モデルを統計的分析および曲線の当てはめ技術によって構築することができるデータを生成する。１７０で一般に示された実験の計画は、多数のパラメータ１７２と応答１７４との間の相関を構築することができるデータを示す。この例における塗装パラメータ１７２は、目標距離（インチ）、ベル速度（Ｋｒｐｍ）、成形空気（ＳＬＰＭ）、およびベル流体送出速度（ｃｃ／ｍｉｎ．）である。例の塗装応答１７４は、フィルム構造（ミクロン）およびスプレーパターン直径（インチ）である。
【００２５】
再び図１のブロック１１８を参照すると、好ましい実施形態において、計画された実験は、塗装パラメータ／応答データを生成する。統計的分析プログラムによってパラメータと応答とを相関させるアルゴリズムを使用して、塗装パラメータ−応答モデルを準備することができる。本発明の実施形態において生成されたアルゴリズムの例は、次のように与えられる。
【００２６】
【表１】
2007508937.tif 000003
【００２７】
上記アルゴリズムによって示されるように、塗装応答が、ファン空気、噴霧空気、粘度などの多数のパラメータのいずれの関数であってもよい。次に、１つまたは複数のそのようなアルゴリズムを、少なくとも１つの塗装パラメータを１つの塗装応答またはいくつかの応答と相関させる塗装パラメータ−応答モデルを準備する際に使用してもよい。
【００２８】
塗装パラメータ−応答モデルが準備された後、次に、少なくとも１つの塗装パラメータおよび値を、関連した目標または目標範囲とともに、予め定め、モデルに入力してもよい、図１のブロック１３０。次に、モデルは、塗装応答値または値の範囲を定め出力する、図１のブロック１３２。
【００２９】
図５は、塗装応答および塗装パラメータを入力する／出力するのに好ましい、一般に汎用ユーザインタフェースＧＵＩ（一般に２００で）とも呼ばれるコンピュータ−ヒューマン入力−出力スキームを示す。図５に示された特定のインタフェースは、従来の回転ベルアプリケータの始動設定のためのスプレーパターン計算器として役立つ。コンピュータ−ヒューマンインタフェースは、パラメータ２１０および応答２２０を表示する。応答２２０は、パラメータ−応答モデルを使用して、パラメータ２１０に基づいて計算される。ユーザ（またはコンピュータ−ヒューマンインタフェースに結合されたコンピュータプログラム）が、パラメータ２１０の各々の値を修正して、応答２２０に及ぼす修正の影響を定めることができる。
【００３０】
図５に示されているようなコンピュータ−ヒューマンインタフェースを使用して、１つまたは複数の塗装応答の所望のレベルを達成するように、塗装パラメータレベルを修正することができる。好ましい実施形態の場合、シンプレックス数学的技術を使用して、ユーザが、塗装パラメータレベルとともに塗装応答レベルを最適化するのを助ける。
【００３１】
好ましくは、図５に示されているようなコンピュータ−ヒューマンインタフェースを準備するために使用されるコンピュータソフトウェアは、エクセル（Ｅｘｃｅｌ）ソフトウェアアプリケーションを使用するマイクロソフト・ウィンドウズ（登録商標）（Ｍｉｃｒｏｓｏｆｔ  Ｗｉｎｄｏｗｓ（登録商標））ＯＳに基づいている。これらのソフトウェアプログラムは米国のマイクロソフト・コーポレーション（Ｍｉｃｒｏｓｏｆｔ  Ｃｏｒｐｏｒａｔｉｏｎ  ｏｆ  Ｕ．Ｓ．Ａ）から入手可能である。しかし、いかなる適切なソフトウェアプログラムを使用してもよい。入力し、計算し、出力することができるいかなるソフトウェアも使用してもよい。
【００３２】
コンピュータ−ヒューマンインタフェースは、塗装装置から分離したまたは塗装装置と接続されたコンピュータ上に存在してもよい。本発明は、いかなる特定のコンピュータ−ヒューマンインタフェースレイアウトにも限定されず、インタフェースを使用して入力し出力を適用するいかなる実際的な手段も使用してもよい。
【００３３】
コンピュータ−ヒューマンインタフェースを塗装装置コンピュータに埋込み、装置始動ならびに日々の継続している装置調整および最適化のために使用してもよい。たとえば、コンピュータ−ヒューマンインタフェースを使用して、継続している装置調整および最適化シナリオにおいて、目標にされた塗装応答に基づいて、塗装パラメータを計算し適用してもよい。
【００３４】
再び図１を参照すると、ブロック１３４において、塗装パラメータに基づいて応答値を定めるためにパラメータ−応答モデルを使用して、必要に応じて、多数の反復を行ってもよい。多数の反復を行って、パラメータ−応答傾向を一般に研究するか、所望のパラメータ値に焦点をしぼることができる。反復をいかなる実際的な手動手段または自動手段によって行ってもよい。
【００３５】
図１のブロック１３６および１３８において、次に、ユーザは、所望の塗装応答または複数の塗装応答を得るように、塗装パラメータを選択し適用してもよい。いかなる効果的な手段、手動または自動、によって、パラメータを選択し適用してもよい。
【００３６】
実施形態において、本発明は、塗装プロセスパラメータの結果として、スプレーパターンのサイズおよび形状、ならびにフィルム構造、またはさらには移送効率を予測するためのツールとして役立つ。このツールを、新たなライン、または既存のライン上の新たなアプリケータの初期プロセス設定点の基礎として使用してもよい。ツールを、また、既存の装置、施設、または塗料技術の、日々ベースの連続改良のために使用してもよい。本質的に、ツールは、プロセスエンジニアが、非常にさまざまなシナリオにおいて、プロセスパラメータ出力を定めるために物理的実験を行うことなく、プロセスパラメータ出力を計算することを可能にする。
【００３７】
本発明は、さらに、塗料塗布装置を比較するためのツールとして役立ってもよい。たとえば、異なった塗料アプリケータモデル、同じアプリケータモデルの異なったバージョンもしくは構造、または特定のモデルの異なった構成要素もしくは同じ構成要素の異なったバージョンを、本発明を用いて比較してもよい。
【００３８】
本発明によれば、典型的に用いられる塗料アプリケータ技術のいくつかの例は、空気圧スプレー、静電空気圧スプレー、静電回転ベルなどの従来の技術である。好ましい技術は、静電向上を伴ったまたは伴わない空気噴霧スプレー、および高速回転静電ベルであり、というのは、これらの技術は、典型的には、ほとんどの産業または自動車塗料塗布プロセスに用いられるからである。しかし、当該技術におけるいかなる容易に知られている塗料塗布技術も、本発明の実施形態と関連して用いてもよい。
【００３９】
さらに、塗装装置という用語が、塗料をスプレーする装置のみに限定されるべきでなく、またスプレーヤ内に供給されるための塗料を準備する工場における塗装装置を含むことが理解されるべきである。したがって、本発明は、また、スプレー塗装装置内に供給される塗料の粘度のような他の塗装属性の設定を確立することができる。たとえば、粘度塗装パラメータを、上で説明されたように、垂下またはポップのような塗装応答と相関させることができる。このように、スプレー塗装装置内に最終的に供給される材料は、最適な塗装パラメータおよび塗料応答に基づいて準備される。
【００４０】
本発明は、測定可能な応答およびパラメータがある限り、いかなるタイプの塗料またはコーティング、およびいかなるアプリケータとともに用いてもよい。ベースコート、クリアコート、プライマーコーティング、エレクトロコーティング、複合系、トリコート（ｔｒｉｃｏａｔｓ）、着色クリアコート。本発明を用いて、単一コート塗料、および、ベースコート−クリアコート、ベースコート−中間コート−クリアコートトリコート系、ウェット−オン−ウェット（ｗｅｔ−ｏｎ−ｗｅｔ）プライマー−ベースコート系、または当業者には容易に明らかないかなる他の組合せなどであるがこれらに限定されない複合コーティング系の塗装パラメータを予測してもよい。
【００４１】
本発明に基づいて、コーティング組成物と関連して使用されるクリアコート、ベースコート、またはプライマーサーフェイサー組成物の性質は、決して重要でない。標準的な溶剤担持系、水担持系、または粉末ベースの系を含む、非常にさまざまな市販の産業クリアコート、ベースコート、またはプライマーサーフェイサー組成物のいずれも、本発明に使用してもよい。低ＶＯＣ（揮発性有機含有量）を有し、かつ現在の汚染規制を満たす高固形分溶剤担持クリアコート、ベースコート、およびプライマーサーフェイサーが、より一般に使用される。典型的には、有用な溶剤担持コーティングとしては、イソシアネートで架橋されたポリオールポリマーの２Ｋ（２成分）系、およびメラミンで架橋されたアクリルポリオールの１Ｋ系またはポリオールおよびメラミンと組合された１Ｋアクリロシラン系が挙げられるがこれらに限定されない。エポキシ酸系も使用することができる。そのような仕上げは、自動車およびトラックに、高い光沢およびＤＯＩ（イメージの明確さ）を含む魅力的な審美的外観を有するミラー状外部仕上げを与える。使用することができる適切な１Ｋ溶剤担持アクリロシランクリアコート系が、参照により本明細書に援用する米国特許公報（特許文献１）に開示されている。適切な１Ｋ溶剤担持アクリル／メラミンクリアコート系が、参照により本明細書に援用する米国特許公報（特許文献２）に開示されている。また、１Ｋ水担持ベースコートを使用してもよく、これらは、典型的には、溶剤担持ベースコートと同じ特性をもたらす。いかなる従来の水担持ベースコートも塗布することができる。典型的には、これらは、アクリルポリマーとアルキル化メラミンホルムアルデヒド架橋剤との水性分散系である。有用な組成物が、参照により本明細書に援用する、１９９４年５月２４日に発行されたニックル（Ｎｉｃｋｌｅ）およびウェルナー（Ｗｅｒｎｅｒ）の米国特許公報（特許文献３）に教示されている。
【００４２】
本発明の実施形態に使用することができるコンピュータまたはデバイスのタイプは、特に限定されないが、たとえば、パーソナルコンピュータであってもよい。本発明による計算を行うことができるいかなるコンピュータまたはデバイスも使用してもよい。
【００４３】
本発明は、塗装パラメータを定め適用するための方法に具体化されるようにここで示され説明されたが、それにもかかわらず、示された詳細に限定されることは意図されない。本発明の精神および範囲から逸脱することなく、本発明の構成の構成要素のさまざまな他の修正、変更、追加、または代用が、当業者には明らかであろう。本発明は、ここで述べられた例示的な実施形態によって限定されず、むしろ、特許請求の範囲によって規定される。
【図面の簡単な説明】
【００４４】
【図１】塗装装置パラメータ／塗料応答モデルを準備し、予測されるパラメータを定め適用するための工程を示すフローチャートである。
【図２】典型的な回転ベル塗料アプリケータ、およびそれによって発生されたスプレー雲の概略側面図である。
【図３】典型的な回転ベル塗料アプリケータによって塗布されるような実際の塗料厚さ分布を表す二次元グラフである。
【図４】塗料装置パラメータと塗料応答との間の相関を定めるための実験の計画の部分としての、各ランが行の実験ランの典型的な表である。
【図５】塗装応答および塗料装置パラメータを入力する／出力するための、コンピュータ−ヒューマン入力−出力スキーム、またはＧＵＩの表示である。
【図１】
2007508937.tif 000004
【図２】
2007508937.tif 000005
【図３】
2007508937.tif 000006
【図４】
2007508937.tif 000007
【図５】
2007508937.tif 000008
【国際調査報告】
2007508937.tif 000009
2007508937.tif 000010